(57)【特許請求の範囲】
【請求項１】
外部の熱取得手段で得た熱を受けて湯にして蓄熱する貯湯タンクを備え、該貯湯タンクの下部には給水側開閉弁が介設された給水路と、排水弁が介設された排水路とが接続され、前記給水路からは前記給水側開閉弁と前記貯湯タンクの下部間の位置で給水側通路が分岐接続され、前記貯湯タンクの上部には給湯側通路が接続され、前記給水側通路の出口と給湯側通路の出口とは着脱接続可能にユニット通路が接続され、該ユニット通路には少なくとも給湯開閉弁と湯水混合器を含む水回り装備品が設けられ、前記貯湯タンクの上部から前記給湯側通路およびユニット通路を通って前記湯水混合器に至る通路区間には貯湯タンクの上部側から湯水混合器に向う方向に、手動で大気開放を可能とする圧力逃し弁と、前記給湯側開閉弁とが順次設けられており、前記湯水混合器には前記給水側通路を通して導入された給水と前記給湯側通路を通して導入された湯の混合湯水を外部へ給湯するタンク側給湯通路が接続され、前記給水側通路の出口に接続されるユニット通路の当該接続端部側には前記湯水混合器に向う方向を順方向とする逆止弁が設けられており、前記給水側開閉弁と給湯側開閉弁とを閉にするとともに、前記圧力逃し弁を手動で大気開放し、かつ、前記排水弁を開けて貯湯タンク内の湯を前記排水路を通して排水することにより、前記ユニット通路内の前記給湯側開閉弁と逆止弁間の湯水は前記給湯側開閉弁と逆止弁間の通路内に閉じ込めた状態にして前記貯湯タンクから給湯側開閉弁に至る給湯側通路およびユニット通路内の湯水を前記貯湯タンク内の湯の排水による吸引力によって貯湯タンク内に戻すことが可能な構成としたことを特徴とする貯湯給湯装置。
【請求項２】
貯湯タンクおよびユニット通路はケース内に収容されて貯湯ユニットとして構成され、当該ケースは平面状の背面から前面までのケース内収容空間幅が下方側よりも上方側を広幅とした逆Ｌ字形状の収容空間を有しており、前記貯湯タンクはケース内の背面側に下方側の狭幅収容空間と上方側の広幅収容空間にわたって収容され、前記上方側の広幅収容空間には貯湯給湯装置の運転を制御するための電気制御系統の基板を含む電装品が収容され、前記下方側の狭幅収容空間にはユニット通路を含む水回り系統の通路の管が集約されて収容されていることを特徴とする請求項１記載の貯湯給湯装置。
【請求項３】
貯湯ユニットは部屋の外のベランダ上に設置され、ケースの狭幅収容空間に収容されている水回り系統の通路に接続される外部の配管通路は部屋の床下を通り部屋とベランダの境界に設けられる壁の穴を通してベランダ側に引き出され、そのベランダ側への引き出し先端側が狭幅収容空間に収容されている貯湯ユニット側の水回り系統における接続対応の通路に接続されていることを特徴とする請求項２記載の貯湯給湯装置。
【請求項４】
外部の熱取得手段は、太陽光の熱を受けて温水を得る集熱器であり、該集熱器の温水の熱を貯湯タンク内の水に伝達し、貯湯タンク内に湯として蓄熱することを特徴とする請求項１乃至請求項３のいずれか１つに記載の貯湯給湯装置。
【発明の詳細な説明】
【技術分野】
【０００１】
本発明は、例えば、太陽光の熱を利用して貯湯タンクに湯を蓄熱し、給湯需要に応じて貯湯タンク内の湯を給湯する貯湯給湯装置に関するものである。
【背景技術】
【０００２】
太陽光の熱や、発電装置の排熱や、外部の給湯器等を利用して貯湯タンク内に湯を貯湯し、給湯需要に応じて貯湯タンク内の湯を台所、浴槽等の所望の給湯先に給湯する貯湯給湯装置は広く利用されている。
【先行技術文献】
【特許文献】
【０００３】
【特許文献１】特開昭６２−１９０３５７号公報
【発明の概要】
【発明が解決しようとする課題】
【０００４】
貯湯給湯装置の貯湯タンクには給湯運転を制御するための電磁弁等の各種弁や湯水混合器等の機能部品が介設された水回り系統の通路（水路）が接続されている。しかしながら、これらの水回り系統の通路を取り外して各種弁等の部品の点検修理を行なう場合には、水漏れの害を防止するために、貯湯タンク内の湯水を排水して、貯湯タンク内を空にしてからでないと、その水回り系統の通路の取り外しを行うことができない構成のものが一般的であった。
【０００５】
しかし、貯湯タンク内の湯水を排水して空にするまでに多くの時間を費やさなければならないので、作業効率が悪く、また、蓄熱されている貯湯タンク内の湯を捨てるのはエネルギの浪費となり、省エネを勧める社会的要請にも逆行する。
【０００６】
本発明は上記課題を解決するために成されたものであり、その目的は、貯湯タンク内に蓄熱されている湯を捨て去ることなく、貯湯タンクに接続されている水回り系統の通路を取り外して当該通路に介設されている各種弁等の部品の点検修理を支障なく効率的に行なうことができ、しかも、それに加えて、マンション等の建物のベランダに設置するのに適した構成を備えた貯湯給湯装置を提供することにある。
【課題を解決するための手段】
【０００７】
上記目的を達成するために、この発明は次に示す構成をもって前記課題を解決するための手段としている。すなわち、第１の発明は、外部の熱取得手段で得た熱を受けて湯にして蓄熱する貯湯タンクを備え、該貯湯タンクの下部には給水側開閉弁が介設された給水路と、排水弁が介設された排水路とが接続され、前記給水路からは前記給水側開閉弁と前記貯湯タンクの下部間の位置で給水側通路が分岐接続され、前記貯湯タンクの上部には給湯側通路が接続され、前記給水側通路の出口と給湯側通路の出口とは着脱接続可能にユニット通路が接続され、該ユニット通路には少なくとも給湯開閉弁と湯水混合器を含む水回り装備品が設けられ、前記貯湯タンクの上部から前記給湯側通路およびユニット通路を通って前記湯水混合器に至る通路区間には貯湯タンクの上部側から湯水混合器に向う方向に、手動で大気開放を可能とする圧力逃し弁と、前記給湯側開閉弁とが順次設けられており、前記湯水混合器には前記給水側通路を通して導入された給水と前記給湯側通路を通して導入された湯の混合湯水を外部へ給湯するタンク側給湯通路が接続され、前記給水側通路の出口に接続されるユニット通路の当該接続端部側には前記湯水混合器に向う方向を順方向とする逆止弁が設けられており、前記給水側開閉弁と給湯側開閉弁とを閉にするとともに、前記圧力逃し弁を手動で大気開放し、かつ、前記排水弁を開けて貯湯タンク内の湯を前記排水路を通して排水することにより、前記ユニット通路内の前記給湯側開閉弁と逆止弁間の湯水は前記給湯側開閉弁と逆止弁間の通路内に閉じ込めた状態にして前記貯湯タンクから給湯側開閉弁に至る給湯側通路およびユニット通路内の湯水を前記貯湯タンク内の湯の排水による吸引力によって貯湯タンク内に戻すことが可能な構成としたことをもって前記課題を解決するための手段としている。
【０００８】
また、第２の発明は前記第１の発明の構成を備えた上で、前記貯湯タンクおよびユニット通路はケース内に収容されて貯湯ユニットとして構成され、当該ケースは平面状の背面から前面までのケース内収容空間幅が下方側よりも上方側を広幅とした逆Ｌ字形状の収容空間を有しており、前記貯湯タンクはケース内の背面側に下方側の狭幅収容空間と上方側の広幅収容空間にわたって収容され、前記上方側の広幅収容空間には貯湯給湯装置の運転を制御するための電気制御系統の基板を含む電装品が収容され、前記下方側の狭幅収容空間にはユニット通路を含む水回り系統の通路の管が集約されて収容されている構成をもって前記課題を解決するための手段としている。
【０００９】
さらに、第３の発明は前記第２の発明の構成を備えた上で、前記貯湯ユニットは部屋の外のベランダ上に設置され、ケースの狭幅収容空間に収容されている水回り系統の通路に接続される外部の配管通路は部屋の床下を通り部屋とベランダの境界に設けられる壁の穴を通してベランダ側に引き出され、そのベランダ側への引き出し先端側が狭幅収容空間に収容されている貯湯ユニット側の水回り系統における接続対応の通路に接続されている構成をもって前記課題を解決するための手段としている。
【００１０】
さらに、第４の発明は、前記第１乃至第３のいずれか１つの発明の構成を備えた上で、前記外部の熱取得手段は、太陽光の熱を受けて温水を得る集熱器であり、該集熱器の温水の熱を貯湯タンク内の水に伝達し、貯湯タンク内に湯として蓄熱する構成をもって前記課題を解決するための手段としている。
【発明の効果】
【００１１】
本発明においては、給水側開閉弁と給湯側開閉弁を閉じ、次に、排水弁を開け、手動で圧力逃し弁を開動作することにより、貯湯タンク内の湯水は排水路を通して排水されるが、このとき、外部から圧力逃し弁に空気が吸引され、給湯側開閉弁と貯湯タンク間のユニット通路および給湯側通路内の湯水は貯湯タンク内に入り込んで、その給湯側開閉弁と貯湯タンク間の通路内はほぼ湯水が抜けた空の状態となる。この状態で、排水弁を閉じてから、ユニット通路を取り外すことにより、貯湯タンク内の湯水を排水することなくユニット通路を取り外して、ユニット通路に介設されている湯水混合器等の水回り装備品の点検、修理、交換を効率的に行うことができる。しかも、ユニット通路内の給湯側開閉弁と逆止弁間の湯水は給湯側開閉弁と逆止弁間の通路内に閉じ込めた状態で、かつ、給湯側開閉弁と貯湯タンク間の通路はほぼ湯水が抜けた空の状態で取り外すので、その取り外し時にユニット通路から漏れる湯水の量を少なくできる。
【００１２】
また、第２の発明においては、逆Ｌ字形状（上下が逆のＬ字形状）をした収容空間のうち、上方側の広幅収容空間内に電気制御系統の基板および電装部品が収容され、下方側の狭幅収容空間にユニット通路が収容されているので、ユニット通路を取り外す際に、ユニット通路内から水が漏れ出しても、その漏水が上方側の広幅収容空間内に収容されている電気制御系統の基板や、電装部品に掛かることはなく、電気系統の回路のショート等の不具合発生を防止できる。
【００１３】
さらに、第３の発明においては、貯湯給湯装置に接続される外部の配管（配管通路）は部屋の床下を通ってベランダ側に引き出されるが、貯湯給湯装置側の水回り系統の通路（管路）は貯湯ユニットのケースの下方側の狭幅収容空間内に集約配置されているので、ベランダ側に引き出された配管通路（外部配管）の立ち上げ長さを短くして貯湯給湯装置側の対応する水回り系統の通路に接続できるので、配管接続施工のコスト低減を図ることができる。
【００１４】
さらに、第４の発明は、外部の熱取得手段を集熱器としており、この集熱器はベランダ、屋根等の適宜の位置に配置できる上に、太陽光を利用するので、ＣＯ２の発生のないクリーンな給湯環境を構築できる。
【図面の簡単な説明】
【００１５】
【図１】本実施形態の全体的なシステム構成図である。
【図２】本実施形態の各装置（ユニット）間の外部配管による接続関係の説明図である。
【図３】本実施形態における各装置（ユニット）間の電気接続関係の説明図である。
【図４】熱源ユニット２０と貯湯ユニット４０を一体化した本実施形態における複合ユニット５３の構成説明図である。
【図５】貯湯ユニット４０を構成するケース４７の説明図であり、（ａ）はケース４７を前方から見た図であり、（ｂ）はケース４７を左側面から見た図である。
【図６】ケース４７の広幅収容空間４９に基板５２等の電装品が収容されている状態を示す説明図である。
【図７】本実施形態における複合ユニット５３と集熱器２３との各種設置例の説明図である。
【発明を実施するための形態】
【００１６】
以下、本発明の実施の形態を図面を参照して説明する。図１、図２は、本実施形態の全体的なシステム構成を示すもので、図１は主として、システム全体の配管接続関係を示しており、図２は各装置間の外部配管を用いた管路接続関係を示している。本実施の形態のシステムは、貯湯ユニット４０を主要部とするシステムであり、熱源ユニット２０と、貯湯ユニット４０と、集熱器２３とを備えている。貯湯ユニット４０は貯湯給湯装置をユニットとして構成したものである。
【００１７】
本実施形態のシステムは制御装置（図示せず）によって運転が制御される。図３に示されるように、熱源ユニット２０と、貯湯ユニット（貯湯給湯装置）４０と、集熱器２３は電気配線によって接続されており、制御装置には、暖房運転を遠隔操作する暖房リモコン４４と給湯の運転を遠隔操作する熱源機リモコン４５とが接続されており、熱源ユニット２０と貯湯ユニット４０の運転は対応する暖房リモコン４４と熱源機リモコン４５の操作によって運転が行われる。以下、制御装置による熱源ユニット２０と、貯湯ユニット４０との運転制御例を簡単に説明する。
【００１８】
熱源ユニット２０は暖房運転と追い焚き運転と給湯運転を行う。暖房運転は、暖房循環路１１の暖房循環ポンプ９を駆動することによって行われる。暖房循環ポンプ９の駆動（オン駆動）によって、暖房循環路１１内の温水は暖房装置１０、暖房循環ポンプ９、流路切替手段１９、給湯熱交換器１２、流路切替手段３８を順に通って暖房循環路１１に戻る通路（流路）を通って循環し、その循環温水は給湯熱交換器１２を通るときに給湯バーナ１３の燃焼火炎の熱を受けて加熱され、その熱を、暖房装置１０を通るときに室内に放出して暖房を行う。
【００１９】
追い焚き運転は、追い焚き循環路６の風呂循環ポンプ４を駆動（オン駆動）することにより行われる。風呂循環ポンプ４が駆動されると、浴槽５内の湯水は、浴槽５、風呂循環ポンプ４、追い焚き熱交換器１を順に通り、浴槽５に戻る通路（流路）を通って循環し、その循環湯水が追い焚き熱交換器１を通るときに、追い焚きバーナ２の燃焼火炎の熱を受けて加熱され、その熱が浴槽５内の湯水に加えることで浴槽湯水が加熱される。浴槽湯水の温度が設定温度に高められたときに風呂循環ポンプ４の駆動が停止され、追い焚き運転が終了する。
【００２０】
給湯運転は給湯通路１６の給湯先の給湯栓７（図２参照）が開けられることにより開始する。給湯栓７が開けられると、給水路１５から供給される給水が流路切替手段１９を介して給湯熱交換器１２に入り込む。制御装置は、給湯熱交換器１２への入水を流水スイッチや、流量センサ等の図示されていない入水検知手段によって検出したときに、給湯バーナ１３を燃焼し、給湯熱交換器１２を通る水を加熱して給湯設定温度の湯にし、その湯を給湯通路１６を通して給湯栓７等の給湯先に供給する。給湯栓７が閉められると給湯熱交換器１２への入水が停止する。制御装置はこの入水停止を前記入水検知手段によって検出したときに、給湯バーナ１３の燃焼を停止、給湯運転を終了する。
【００２１】
なお、これらの熱源ユニット２０の運転は、実際には、流路の適宜の位置に温度センサ、流量センサ等の各種センサが設けられて、その検出情報（検出値）に基いて行われるが、これらのセンサを使用しての上記暖房運転や、追い焚き運転や、給湯運転自体は周知であることから、温度センサ等の詳細な装備品のこまごまとした図示は省略してある。
【００２２】
上記追い焚きバーナ２と給湯バーナ１３へのガスの供給は基幹ガス通路４３（図２参照）を通して供給される。基幹ガス通路４３の先端側はガス通路３とガス通路１４に分岐されており、これらの分岐されたガス通路３、１４には、通路開閉の電磁弁、ガス供給量を開弁量によって制御する比例弁等の適宜の弁が介設されるがこれらのガス供給系統の構成も周知であり、その図示は省略する。また、追い焚きバーナ２、給湯バーナ１３は燃焼ファンから供給される空気を利用して燃焼が行われるが、これも周知の技術事項であるので、その燃焼ファンの図示も省略する。
【００２３】
貯湯ユニット４０は給湯運転を行う。給湯運転は給湯栓７が開けられたときに給水圧（水道圧）によって貯湯タンク２１内の湯を給湯側通路２５を通して湯水混合器３５へ導入する。その導入される湯の温度が給湯設定温度よりも高い場合は、湯水混合器３５は給水側通路２６から導入される給水と混合して給湯設定温度の湯を作り出し、その混合湯水をタンク側給湯通路３９を通し、給湯栓７に直接的に供給するか、又は、タンク側給湯通路３９からの混合湯水を図１の破線で示すように、流路切替手段１９を介して給湯熱交換器１２を通過させ、流路切替手段３８を介して給湯通路１６を通して給湯栓７へ供給する。
【００２４】
このように、給湯熱交換器１２を通す通路構成とする場合には、湯水混合器３５から送水される湯水温度が給湯設定温度以上の場合には、給湯バーナ１３を非燃焼状態にして混合湯水を、給湯熱交換器１２に通して給湯し、湯水混合器３５から送水される湯水温度が給湯設定温度よりも低い場合は、給湯バーナ１３の燃焼により給湯設定温度の湯に加熱して給湯するようにする。
【００２５】
この場合、例えば装置の設置初期の運転の場合で、貯湯タンク２１内の湯水が空の状態で給湯需要が生じた場合等には、熱源ユニット２０は、給水路１５から直接給湯熱交換器１２に導入される給水を給湯バーナ１３で燃焼加熱して給湯する。
【００２６】
この貯湯ユニット４０の図１の構成においても、温度センサ等の図示は省略している。
【００２７】
貯湯タンク２１は蓄熱循環路２４によって外部の熱取得手段としての集熱器２３に連通されている。蓄熱循環路２４の蓄熱循環ポンプ２２を駆動（オン駆動）することにより、貯湯タンク２１内の湯水は蓄熱循環路２４を通して貯湯タンク２１と集熱器２３間を循環する。この湯水の循環時に、湯水が集熱器２３を通るときに太陽熱を受けて湯温が上昇することで、貯湯タンク２１内の湯水の温度が上昇する。このように、貯湯タンク２１内の湯水を蓄熱循環路２４を通して循環させることにより、太陽光の熱が集熱器２３から貯湯タンク２１内に伝達されて湯として貯湯タンク２１内に蓄熱される。
【００２８】
なお、図１において、流路の切替を行う流路切替手段１９、３８の内部構成は周知であるので、その説明は省略する。この流路切替手段１９、３８の流路切替は制御装置によって制御される。また、図１中の符号３０は通路（管路）の接続部（管路接続部）を示している。
【００２９】
本実施の形態において特徴的なことは、貯湯タンク２１内の湯水を排水廃棄して貯湯タンク２１内を空にすることなく、ユニット通路３２に介設されている水回り部品（装備品）の修理や交換を可能とする構成を構築したことである。
【００３０】
そのため、本実施形態においては、貯湯タンク２１の下部に給水側開閉弁２７が介設された給水路１５を接続し、給水路１５の給水側開閉弁２７と貯湯タンク２１の下部間の位置で、給水側通路２６を分岐している。また、貯湯タンク２１の上部には給湯側通路２５を接続し、給湯側通路２５の出口と、給水側通路２６の出口との間に給湯通路ユニット３１のユニット通路３２を管路接続部３０において着脱可能に接続している。
【００３１】
ユニット通路３２には給湯側通路２５との管路接続部３０側から給水側通路２６との管路接続部３０側に向けて、圧力逃し弁３３、給湯側開閉弁２８、湯水混合器３５、逆止弁３６が順に設けられている。圧力逃し弁３３は貯湯タンク２１内に通じる通路２５、３２内の圧力が過剰圧力となったときに自動的に弁を開いて過剰圧力を大気に放出させてユニット通路３２内の圧力を自動調整する機能を有する他に、手動の操作部を備え、その操作部を手動により操作して、ユニット通路３２内を大気に開放させる構成を備えている。
【００３２】
逆止弁３６は給水側通路２６から湯水混合器３５へ向かう方向を順方向としており、逆方向への通水は阻止される。湯水混合器３５は前記したように、給湯側通路２５から導入される貯湯タンク２１内の湯水と給水側通路２６から導入される給水とを混合して設定温度の湯を作り出すものであり、この作り出した設定温度の混合湯水はタンク側給湯通路３９を通して送水される。このタンク側給湯通路３９には流量計３７が介設されている。なお、湯水混合器３５や、手動によって大気開放を可能とする圧力逃し弁３３自体の構成も周知であるので、それらの内部構成の説明は省略する。
【００３３】
なお、図１の例では、圧力逃し弁３３は給湯側通路２５に設けられているが、これをユニット通路３２側に設けてもよく、また、図１の例では、給湯側開閉弁２８はユニット通路３２側に設けられているがこれを給湯側通路２５側に設けてもよく、さらに、逆止弁３６はユニット通路３２に設けずに給水路１５の適宜の位置に設けてもよく、給湯通路ユニット３１においての自在の設計変更が可能である。また、ユニット通路３２の複数箇所に管路接続部３０を設ければ、各管路接続部３０位置でユニット通路３２を部分的に着脱接続できるので、水回り装備品を単品ごとに容易に取り外しできるメリットが得られる。
【００３４】
本実施形態において、ユニット通路３２側に連結されている給湯側開閉弁２８、湯水混合器３５、逆止弁３６、流量計３７等の水回り装備品（水回り部品）の点検、修理、交換等のメンテナンス作業を、ユニット通路３２を取り外して行う場合は、給水側開閉弁２７と給湯側開閉弁２８を閉にした状態で、排水弁４２を開け、手動により圧力逃し弁３３を大気開放する。そうすると、貯湯タンク２１内の湯の排水による吸引力によって、外部の空気が圧力逃し弁３３を通してユニット通路３２内に入り込むことで、貯湯タンク２１と給湯側開閉弁２８間の給湯側通路２４およびユニット通路３２内の湯水は貯湯タンク２１内に戻され、貯湯タンク２１と給湯側開閉弁２８間の給湯側通路２４およびユニット通路３２内はほぼ湯水のない空の状態となる。
【００３５】
次に、排水弁４２を閉じ、ユニット通路３２を管路接続部３０から取り外す。この取り外したユニット通路３２は持ち運びが可能であるから、必要に応じ、ユニット通路３２を作業のし易い場所に運んで、ユニット通路３２に設けられている各種の装備品（図１の例では、給湯側開閉弁２８、湯水混合器３５、逆止弁３６、流量計３７）の点検、修理、交換等のメンテナンス作業を容易に行うことができる。なお、ユニット通路３２を取り外す際に、貯湯タンク２１と給湯側開閉弁２８間の給湯側通路２４およびユニット通路３２内を空気と置換するために貯湯タンク２内の湯水の排水動作を行なうが、この排水動作は短時間であり、貯湯タンク２１からの排水による湯水の蓄熱エネルギの損失は無視できる程度に小さい。
【００３６】
この点検等のメンテナンス作業が完了した後に、ユニット通路３２を再び管路接続部３０に取り付け接続し、給水側開閉弁２７と給湯側開閉弁２８を開状態にすれば、貯湯ユニット４０は運転可能状態となる。
【００３７】
貯湯ユニット４０と熱源ユニット２０はそれぞれ独立的に別個の位置に設置してもよいが、本実施の形態においては、図４に示されるように、貯湯ユニット４０と熱源ユニット２０は一体化されて複合ユニット５３として構成されている。貯湯ユニット４０は各構成要素が縦置きタイプの縦長のケース内に収容されている。図５にはそのケース４７が示されている。ケース４７は背面４８が平面状の板面によって形成されており、背面４８に対向する前面側は下側よりも上側が前方向（前側の方向）に突き出す段差面と成している。
【００３８】
つまり、背面４８から前面までの上方側の幅ＷＨは下方側の幅ＷＬよりも広幅と成し、ケース４７内の収容空間は上方側の広幅収容空間４９と下方側の狭幅収容空間５０とを具備した構成と成している。この広幅収容空間４９と狭幅収容空間５０との段差によって狭幅収容空間５０の手前側には空間部５１が形成されている。狭幅収容空間５０の一方又は両方の側面の側板は着脱可能に取り付けられており、広幅収容空間４９の前面にはメンテナンス扉５７が取り付けられている。なお、「背面」、「前面」の用語は、図５に示すケース４７の状態で定義されるものであり、実際のケース４７の設置状況においての背面、前面の概念とは必ずしも一致するとは限らない。
【００３９】
このケース４７の収容空間内には、背面４８側（背面４８寄り）に狭幅収容空間５０と広幅収容空間４９の両空間にわたって縦長形状の貯湯タンク２１が給湯側通路２５との接続側を上側にして背面４８に沿って収容設置されている。そして、広幅収容空間４９には、図６に示されるように、電気回路を有する基板５２等の電装品が収容配置されている。下側の狭幅収容空間５０にはユニット通路３２と共に、貯湯ユニット４０の各管路の接続側となる管路部位が集約収容されており、図４に示されるように、貯湯ユニット４０の管路と外部配管との接続、および貯湯ユニット４０の管路と熱源ユニット２０の管路との接続は狭幅収容空間５０側において集中的に行われている。
【００４０】
本実施の形態では、電装品が収容されている広幅収容空間４９の下側となる狭幅収容空間５０にユニット通路３２が収容されているので、ユニット通路３２に設けられている水回り部品の修理等を行うために、ユニット通路３２を取り外すときに、ユニット通路３２から多少の水漏れが生じても、その水漏れの水が基板等の電装品に掛かって電気回路がショート（短絡）する等の問題発生を引き起すことがなく、メンテナンス作業の信頼性を高めることができる。
【００４１】
図４に示されるように、熱源ユニット２０は据置台４６に載置固定された状態で貯湯ユニット４０の側面側に取り付けられている。据置台４６は縦長の筒状の箱形状を呈しており、箱形状の底面と上面は開口されている。熱源ユニット２０の管路に接続される外部配管、および熱源ユニット２０と貯湯ユニット４０を接続する外部配管は据置台４６の内部空間と貯湯ユニット４０側のケース４７の空間部５１を通って配管されている。このように、広幅収容空間４９の下側の前面側に形成される段差の空間部５１を接続配管の集中収容部として活用できるので、多数の配管を整然と纏めることができるうえに、多数の管の接続作業を同一場所で行えるので、作業効率を図る上でも有利である。
【００４２】
また、熱源ユニット２０と貯湯ユニット４０を一体化して複合ユニット５３としているので、熱源ユニット２０と貯湯ユニット４０を接続する外部配管の長さも短くて済み、費用の削減を図るうえでも有利である。
【００４３】
なお、図４においては、配管の接続状況を分かり易くするために配管が露出しているが、実際には、据置台４６の外周面とケース４７の空間部５１の外面には化粧板が着脱自在に取り付けられて、集約収容されている配管が目隠しされている。
【００４４】
図７は複合ユニット５３の各種設置例を上側から見た状態で示す。複合ユニット５３はベランダ５４上に設置されている。複合ユニット５３の寸法は奥行きＢが６５０ｍｍであり、横幅Ｃが４８０ｍｍである。符号の５６は部屋とベランダ５４との境界に設けられている壁であり、壁５６と複合ユニット５３との距離をＡ（Ａ＝１５０ｍｍ以上）としている。図７（ａ）、（ｂ）はベランダ５４の通路長さ方向の幅（部屋の幅）が狭い場合を想定しており、図７（ａ）は複合ユニット５３のメンテナンススペース（空間部５１およびメンテナンス扉５７側）を、ベランダ５４の外側から部屋側を見て右側となるように設置したものであり、この場合は、空間部５１側から見て貯湯ユニット４０の左側面に熱源ユニット２０が取り付けられる。
【００４５】
また、図７（ｂ）は複合ユニット５３のメンテナンススペースを左側となるように設置したものであり、貯湯ユニット４０の右側側面に熱源ユニット２０が取り付けられている。このように、メンテナンススペースの向きに応じて貯湯ユニット４０に対する熱源ユニット２０の左右取り付け位置を異にしている。
【００４６】
図７（ｃ）、（ｄ）はベランダ５４の通路幅（部屋とベランダの外側端との幅）が狭い場合であり、この場合は、幅寸法の小さいＣの寸法側をベランダ５４の通路幅方向として、通路幅をできるだけ広くする設置態様としている。この場合も、複合ユニット５３をベランダ５４の右側に設置するか左側に設置するかに応じて貯湯ユニット４０に対する熱源ユニット２０の左右取り付け位置を異にしている。
【００４７】
集熱器２３はベランダ５４の外端側にベランダ５４の手摺を兼用する形態で縦置き態様に取り付けられており、貯湯ユニット４０と集熱器２３間の蓄熱循環路２４は邪魔にならないようにベランダ５４の外端縁を通る経路で配置されている。
【００４８】
複合ユニット５３と接続される外部配管（給水、給湯、ガス等の外部配管）５５は部屋側の床下を通り、壁５６に設けた穴（図示せず）を通してベランダ５４側に引き出されて図４に示されるように、空間部５１の位置まで立ち上げられて対応する複合ユニット５３側の管路に接続されている。本実施の形態においては、貯湯ユニット４０はケース４７の狭幅収容空間５０の前面側の空間部５１で、複合ユニット５３の内部側の管路と外部配管を接続する構成としているので、ベランダ５４に引上げた外部配管の立ち上げ長さを短くできるので、その分、配管接続施工の低コスト化を達成できる。
【００４９】
なお、本発明は、上記実施の形態に限定されず、様々な実施の態様をとり得る。例えば、熱源ユニット２０のシステム構成は図１に示されたものとは異なるシステム形態としてもよい。例えば、図１のシステムでは、追い焚き熱交換器１と給湯熱交換器１２を二缶二水タイプの形態としたが、一缶二水タイプの形態としてもよく、追い焚き熱交換器１と給湯熱交換器１２の一方のみのシステム構成としてもよく、場合によっては、熱源ユニット２０を除外して貯湯ユニット４０と集熱器２３のみのシステム構成としてもよい。
【００５０】
また、本実施の形態では、集熱器２３はベランダ５４に設けたが、ベランダ以外の例えば屋根等に設けてもよい。また、集熱器２３には貯湯タンク２１内の湯水を循環させたが、これとは異なり、例えば不凍液等の他の液体を循環させるようにしてもよい。この場合は、循環液体と貯湯タンク２１内の湯水を熱交換させて循環液側の熱を貯湯タンク２１側へ伝達する手段を別途設けることになる。また、本実施の形態では、外部の熱取得手段を集熱器２３によって構成したが、発電装置や、タービンエンジン等の排熱を利用して貯湯タンク２１内の湯水を加熱する構成のものでもよく、あるいは、外部の給湯器や、ボイラー等の熱源機を外部の熱取得手段として利用してもよい。
【００５１】
さらに、本実施の形態では、ユニット通路３２に設ける水回りの装備品を給湯側開閉弁２８と、湯水混合器３５と、逆止弁３６としたが、他の装備品をユニット通路３２に追加したものでもよい。
【産業上の利用可能性】
【００５２】
本発明の貯湯給湯装置は、貯湯タンク内に外部の熱取得手段によって取得した熱を湯として蓄熱して、給湯需要に応じて給湯先に貯湯タンク内の湯を給湯する装置に適用できる。
【符号の説明】
【００５３】
２０        熱源ユニット
２１        貯湯タンク
２２        蓄熱循環ポンプ
２３        集熱器
２４        蓄熱循環路
３１        給湯通路ユニット
３２        ユニット通路
３３        圧力逃し弁
３５        湯水混合器
３６        逆止弁
４７        ケース
４９        広幅収容空間
５０        狭幅収容空間
５２        基板
５４        ベランダ
５５        外部配管
５６        壁
【図１】
0005567845.tif 000002
【図２】
0005567845.tif 000003
【図３】
0005567845.tif 000004
【図４】
0005567845.tif 000005
【図５】
0005567845.tif 000006
【図６】
0005567845.tif 000007
【図７】
0005567845.tif 000008